(57)【要約】【課題】ネクタイの結び目が予め装着されたＹ字型ネクタイ結び目装着具をクリップを利用して襟元に簡単に装着でき、しかも前方に少し突出する下部延出片を利用することでネクタイの結び目の膨らみ部分を保持して見た目をよくすることのできるＹ字型ネクタイ結び目装着具を提供することにある。【解決手段】左右の上部傾斜延出片２，３と、下向きに延びる下部延出片４とからＹ字型に形成し、下部延出片４に、上記結合部分寄りの箇所を斜め下向きの前方に向けて折曲する後部折曲辺４１と、その後部折曲辺４１から斜め下向きの前方に少し延びる箇所を下向きに折曲する前部折曲辺４２とをそれぞれ形成し、下部延出片４の突出裏面にワイシャツの襟元に挟持されるクリップ５を設けると共に、左右の上部傾斜延出片２，３の上部側に小孔２１，３１をそれぞれ形成した。【選択図】        図１
0003125452.tif 000002
【実用新案登録請求の範囲】
【請求項１】
ネクタイの結び目が装着されるネクタイ結び目装着具を、左右斜め上向き方向に拡開しながら延びる左右の上部傾斜延出片と、左右の上部傾斜延出片が結合する結合部分から下向きに延びる下部延出片とからＹ字型に形成し、Ｙ字型ネクタイ結び目装着具の下部延出片に、上記結合部分寄りの箇所を斜め下向きの前方に向けて折曲する後部折曲辺と、その後部折曲辺から斜め下向きの前方に少し延びる箇所を下向きに折曲する前部折曲辺とをそれぞれ形成し、前部折曲辺より下側の下部延出片の前方に突出する突出表面の裏側となる突出裏面にワイシャツの襟元に挟持されるクリップを設けたことを特徴とするＹ字型ネクタイ結び目装着具。
【請求項２】
ネクタイの結び目が装着されるネクタイ結び目装着具を、左右斜め上向き方向に拡開しながら延びる左右の上部傾斜延出片と、左右の上部傾斜延出片が結合する結合部分から下向きに延びる下部延出片とからＹ字型に形成し、Ｙ字型ネクタイ結び目装着具の下部延出片に、上記結合部分寄りの箇所を斜め下向きの前方に向けて折曲する後部折曲辺と、その後部折曲辺から斜め下向きの前方に少し延びる箇所を下向きに折曲する前部折曲辺とをそれぞれ形成し、前部折曲辺より下側の下部延出片の前方に突出する突出表面の裏側となる突出裏面にワイシャツの襟元に挟持されるクリップを設けると共に、左右の上部傾斜延出片の上部側に小孔をそれぞれ形成したことを特徴とするＹ字型ネクタイ結び目装着具。
【考案の詳細な説明】
【技術分野】
【０００１】
この考案は、ネクタイをわざわざ襟の周囲に沿って回して襟元で結び目を作ることなく簡単に襟元にネクタイの結びを作る場合に使用されるネクタイ結び目装着具に係り、特に、ネクタイの結び目が予め装着されたネクタイ結び目装着具をクリップを利用して襟元に簡単に装着できるＹ字型ネクタイ結び目装着具に関するものである。
【背景技術】
【０００２】
ネクタイの着用は社会人にとってマナーの一つになっており、また、ネクタイは学校等の制服の一部に使用されている場合もあり、毎日、特に毎朝、多くの人々がネクタイを締めている。ネクタイは、ネクタイの一部分を襟の周囲に沿って回して、襟元で結び目を作り締め付けることで着用されるが、手間がかかり面倒である。
そこで、予めネクタイの結び目を作り、これを襟元に掛止するのみで、ネクタイをわざわざ襟の周囲に沿って回して襟元で結び目を作ることなく、あたかもネクタイを締め付けたと同様に見せる各種のネクタイ結び目装着具が考案されている。このようなネクタイ結び目装着具の一つとしてＹ字型の形状からなる実願２００５−４８２８の「ネクタイ装着ツールおよびネクタイハンガー」が出願されている。
このＹ字型の形状からなる実願２００５−４８２８の「ネクタイ装着ツールおよびネクタイハンガー」は、Ｙ字形状の結び目補助具、掛止具および繋ぎ具で構成され、結び目補助具および掛止具は薄平板からなる。ネクタイを結び目補助具に固定して結び目を作った状態で、まず、掛止具をシャツの第１ボタンに掛止した後、繋ぎ具部分でネクタイ装着ツールを折り返して結び目補助具を掛止具に重ねるようにし、さらに、結び目から露出したＹ字形状の両延出部のそれぞれの先端部をシャツの両襟とシャツ本体との間に差し込むようにして装着される。
【特許文献１】実願２００５−４８２８
【考案の開示】
【考案が解決しようとする課題】
【０００３】
しかしながら、Ｙ字型の形状からなる実願２００５−４８２８にあっては、掛止具に形成された円形孔の開口部分をシャツの第１ボタンに掛止した後、繋ぎ具部分でネクタイ装着ツールを折り返して結び目補助具を掛止具に重ねるようにする必要があり、ネクタイをわざわざ襟の回りに装着して襟元で結び目を作って締める従来に比べると随分簡単になるが、シャツの第１ボタンに掛止と、繋ぎ具部分で折り返しの動作を必要とし、少し面倒くさい部分があった。
また、ネクタイの結び目は少し前方に向けて膨らみ部分がある方が見た目がよいが、Ｙ字型の形状からなる実願２００５−４８２８は、薄平板であるので、ネクタイの結び目の膨らみ部分を保持することが難しいと考えられる。
【０００４】
この考案は、上記のような課題に鑑み、その課題を解決すべく創案されたものであって、その目的とするところは、ネクタイの結び目が予め装着されたＹ字型ネクタイ結び目装着具をクリップを利用して襟元に簡単に装着でき、しかも前方に少し突出する下部延出片を利用することでネクタイの結び目の膨らみ部分を保持して見た目をよくすることのできるＹ字型ネクタイ結び目装着具を提供することにある。
【課題を解決するための手段】
【０００５】
以上の目的を達成するために、請求項１の考案は、ネクタイの結び目が装着されるネクタイ結び目装着具を、左右斜め上向き方向に拡開しながら延びる左右の上部傾斜延出片と、左右の上部傾斜延出片が結合する結合部分から下向きに延びる下部延出片とからＹ字型に形成し、Ｙ字型ネクタイ結び目装着具の下部延出片に、上記結合部分寄りの箇所を斜め下向きの前方に向けて折曲する後部折曲辺と、その後部折曲辺から斜め下向きの前方に少し延びる箇所を下向きに折曲する前部折曲辺とをそれぞれ形成し、前部折曲辺より下側の下部延出片の前方に突出する突出表面の裏側となる突出裏面にワイシャツの襟元に挟持されるクリップを設けた手段よりなるものである。
【０００６】
また、請求項２の考案は、ネクタイの結び目が装着されるネクタイ結び目装着具を、左右斜め上向き方向に拡開しながら延びる左右の上部傾斜延出片と、左右の上部傾斜延出片が結合する結合部分から下向きに延びる下部延出片とからＹ字型に形成し、Ｙ字型ネクタイ結び目装着具の下部延出片に、上記結合部分寄りの箇所を斜め下向きの前方に向けて折曲する後部折曲辺と、その後部折曲辺から斜め下向きの前方に少し延びる箇所を下向きに折曲する前部折曲辺とをそれぞれ形成し、前部折曲辺より下側の下部延出片の前方に突出する突出表面の裏側となる突出裏面にワイシャツの襟元に挟持されるクリップを設けると共に、左右の上部傾斜延出片の上部側に小孔をそれぞれ形成した手段よりなるものである。
【考案の効果】
【０００７】
以上の記載より明らかなように、請求項１及び請求項２の考案に係るＹ字型ネクタイ結び目装着具によれば、Ｙ字型ネクタイ結び目装着具の下部延出片に、上記結合部分寄りの箇所を斜め下向きの前方に向けて折曲する後部折曲辺と、その後部折曲辺から斜め下向きの前方に少し延びる箇所を下向きに折曲する前部折曲辺とをそれぞれ形成し、前部折曲辺より下側の下部延出片の前方に突出する突出表面の裏側となる突出裏面にワイシャツの襟元に挟持されるクリップを設けたことにより、Ｙ字型ネクタイ結び目装着具を用いて色々なネクタイを簡単に取り付けたり取り外したりすることができるのは勿論、ネクタイの結び目が予め装着されたＹ字型ネクタイ結び目装着具をクリップを利用して襟元に簡単に装着することができ、またクリップを外すのみで襟元からネクタイの結び目を簡単に取り外すことができる。しかも、前方に少し突出する下部延出片を利用することでネクタイの結び目の膨らみ部分を保持し得て、見た目をよくすることができる。
【０００８】
また、請求項２の考案に係るＹ字型ネクタイ結び目装着具によれば、前記の効果に加えて、Ｙ字型ネクタイ結び目装着具の左右の上部傾斜延出片の上部側に形成した小孔に例えばネクタイピンを差し込むことにより、ワイシャツの両襟に左右の上部傾斜延出片を確実に固定し得て、Ｙ字型ネクタイ結び目装着具がワイシャツの襟元から簡単に外れるのを防ぐことができる等、極めて実用的有益なる効果を奏するものである。
【考案を実施するための最良の形態】
【０００９】
以下、図面に記載の考案を実施するための最良の形態に基づいて、この考案をより具体的に説明する。
ここで、図１はＹ字型ネクタイ結び目装着具の正面図、図２はＹ字型ネクタイ結び目装着具の背面図、図３はＹ字型ネクタイ結び目装着具の側面図、図４は図１のＡ−Ａ矢視断面図、図５はＹ字型ネクタイ結び目装着具の使用図である。
【００１０】
図において、Ｙ字型ネクタイ結び目装着具１は、ネクタイの結び目ａの部分が装着されしかもネクタイの結び目ａの部分が装着された状態で襟元に取り付けられるものであり、Ｙ字型を形成する左右の上部傾斜延出片２，３、左右の上部傾斜延出片２，３が結合する結合部分から下向きに延びる下部延出片４、及び下部延出片４の突出裏面に設けられたクリップ５から構成される。
【００１１】
Ｙ字型を形成する左右の上部傾斜延出片２，３及び下向きに延びる下部延出片４は、連続する同一の薄板材からなり、適度な硬さと耐久性を有するものであればその材質を特に限定するものではなく、例えば硬質樹脂、金属、木製、セラミック製などの各種から適宜選択して使用される。適度な時間、襟元に装着されることを考えると、軽量であること、薄くて適度な硬さを有することが好ましい。このような材質として、アルミニウム製やプラスチック製が好適である。
【００１２】
Ｙ字型の上半分側を形成する左右の上部傾斜延出片２，３は、左右対称の状態で斜め上向き方向に僅かに湾曲状に拡開しながら、つまりそれぞれ外向き方向の斜め上向きに僅かに湾曲しながら延びている。左右の上部傾斜延出片２，３はそれぞれ板幅に比べて板厚は薄い。左右の上部傾斜延出片２，３の結合部分となるＹ字型の根本側は凹型円弧状に形成されていて、ネクタイの結び目ａの部分を装着する場合にネクタイがこのＹ字型の根本側で傷つかないように配慮されている。
【００１３】
左右の上部傾斜延出片２，３は、その上端側がそれぞれ少し外向き側に丸みを帯びる形状に形成されていて、ネクタイの結び目ａの部分を装着する場合にネクタイがこれらの上端側で傷つかないように配慮されている。左右の上部傾斜延出片２，３は襟元に装着される場合、左側の上部傾斜延出片２は左側の襟の間に差し込まれ、右側の上部傾斜延出片３は右側の襟の間に差し込まれる。
【００１４】
また、上端側が丸みを帯びる左右の上部傾斜延出片２，３の上部側の中央には必要に応じて例えば円形の小孔２１，３１がそれぞれ形成されているが、小孔２１，３１は省略されることもある。小孔２１，３１は例えばネクタイピンを差し込む孔であり、小孔２１，３１に例えばネクタイピンを差し込むことにより、ワイシャツの両襟に左右の上部傾斜延出片２，３を確実に固定でき、Ｙ字型ネクタイ結び目装着具１がワイシャツの襟元から簡単に外れるのを防ぐことができる。
【００１５】
Ｙ字型ネクタイ結び目装着具の下半分側を形成する下部延出片４は、左右の上部傾斜延出片２，３の結合部分から途中の２箇所で段差状に折曲されながら下方に延びている。下部延出片４の下端側は丸みを帯びた弧状に形成されていて、ネクタイの結び目ａの部分を装着する場合にネクタイが下端側で傷つかないように配慮されている。また、図面では下部延出片４の板幅は左右の上部傾斜延出片２，３の板幅の２倍程度になっているが、これに限定されるものではなく、例えばこれよりも狭くてもよい。
【００１６】
下部延出片４は、左右の上部傾斜延出片２，３の結合部分寄りとなるその上部箇所を前方に向けて例えば４５度に近い角度で斜め下向きに折曲して後部折曲辺４１の折り曲げ箇所が形成され、その後部折曲辺４１から斜め下向きの前方に少し延びる箇所を例えば４５度に近い角度で上記と逆向きの下向きに折曲して前部折曲辺４２の折り曲げ箇所が形成され、その前部折曲辺４２からさらに下方に延びている。
【００１７】
下部延出片４は、後部折曲辺４１及び前部折曲辺４２でそれぞれ折り曲げられることで、左右の上部傾斜延出片２，３が形成する平面より少し前方側に突出した状態でこれらに平行な平面を形成する。下部延出片４は、左右の上部傾斜延出片２，３に対してこれらの後部折曲辺４１と前部折曲辺４２により前方に突出する平面状段差になっている。上部側を除く大半の下部延出片４は、例えば、５〜１０ｍｍ前後、前方に突出している。
【００１８】
前部折曲辺４２より下側の下部延出片４の前方に突出する突出表面の裏側となる突出裏面には、ワイシャツの襟元に挟持されるクリップ５が設けられている。クリップ５がワイシャツの襟元に挟持されることで、Ｙ字型ネクタイ結び目装着具１をワイシャツの襟元に装着させるものである。
【００１９】
クリップ５は下部延出片４の突出裏面に例えば接着剤で固定されたり、クリップ５及び下部延出片４が金属製の場合には溶着されたりしている。また、クリップ５は下部延出片４に一体成形されることもある。或いはクリップ５は螺子などにより下部延出片４に一時的に固定されることもある。
【００２０】
クリップ５は後端側には親指と人差し指で挟むための左右一対の把持片５１が取り付けられていて、この一対の把持片５１を親指と人差し指で挟むことにより先端側の左右一対の挟持片５２が左右に開いて、左右に開いた先端側の一対の挟持片５２をワイシャツの襟元に挟むように差し込んで閉じることで、ワイシャツの襟元に挟持される。クリップ５は下向きの下部延出片４に対して横向き、つまり下部延出片４の幅方向の向きに設けられている。
【００２１】
クリップ５は厚みを有するが、この厚みは下部延出片４が左右の上部傾斜延出片２，３より前方に突出する平面状段差で吸収される。つまり、厚みのあるクリップ５は左右の上部傾斜延出片２，３とその前方に突出する下部延出片４との間に収まる。これにより、ワイシャツの襟元に挟んだ場合にクリップ５の厚みを感じることはない。
【００２２】
次に、上記考案を実施するための最良の形態の構成に基づくＹ字型ネクタイ結び目装着具の使用方法について以下説明する。
【００２３】
ネクタイの中間部分を適宜の締め方によって結び目を作り、その結び目部分をＹ字型ネクタイ結び目装着具１に装着する。或いは、Ｙ字型ネクタイ結び目装着具１にネクタイの中間部分を巻き付けながら適宜の締め方によって結び目を作って装着する。
【００２４】
この場合、ネクタイの結び目ａの左側にはＹ字型ネクタイ結び目装着具１の左側の上部傾斜延出片２が差し込まれ、ネクタイの結び目ａの右側にはＹ字型ネクタイ結び目装着具１の右側の上部傾斜延出片３が差し込まれる。或いは、Ｙ字型ネクタイ結び目装着具１の左側の上部傾斜延出片２にネクタイの結び目ａの左側が巻き付けられ、Ｙ字型ネクタイ結び目装着具１の右側の上部傾斜延出片３にネクタイの結び目ａの右側が巻き付けられて、ネクタイの結び目ａはＹ字型ネクタイ結び目装着具１に装着される。
【００２５】
このとき、Ｙ字型ネクタイ結び目装着具１の下部延出片４は少し前方側に突出しているので、ネクタイの結び目ａは前方に少し膨らんだ状態で取り付けられることになり、ネクタイの結び目ａは立体状となり見た目がよくなる。また、Ｙ字型ネクタイ結び目装着具１はその前面側に装着されたネクタイによって隠れてしまうため、正面側から見た場合にＹ字型ネクタイ結び目装着具１が簡単に見えることはない。
【００２６】
ネクタイの結び目ａが装着されたＹ字型ネクタイ結び目装着具１をワイシャツの襟元に近づけ、片方の手の親指と人差し指でクリップ５の後端側の一対の把持片５１を挟んで、クリップ５の先端側の一対の挟持片５２を左右に開く。開いた一対の挟持片５２をワイシャツの襟元を表裏面側から挟むよう差し込み、クリップ５の一対の把持片５１を強く挟んでいた親指と人差し指の力を抜くと、クリップ５の先端側の開いていた一対の挟持片５２は閉じてワイシャツの襟元を表裏面側から表裏面側から挟圧することで係止され、ネクタイの結び目ａが装着されたＹ字型ネクタイ結び目装着具１はワイシャツの襟元に簡単に装着される。
【００２７】
この後、必要に応じて、Ｙ字型ネクタイ結び目装着具１の左右の上部傾斜延出片２，３の上部側に形成した小孔２１，３１に例えばネクタイピンを差し込むことにより、ワイシャツの両襟に左右の上部傾斜延出片２，３を確実に固定でき、Ｙ字型ネクタイ結び目装着具１がワイシャツの襟元から簡単に外れるのを防ぐことができる。
【００２８】
この場合において、Ｙ字型ネクタイ結び目装着具１をワイシャツの襟元に装着するに際して、左右の上部傾斜延出片２，３と下部延出片４とは前後方向に段差面となっていて、その段差面内に厚みのあるクリップ５は収まるので、クリップ５の厚みが邪魔になることがない。
【００２９】
また、ネクタイの結び目ａが装着されたＹ字型ネクタイ結び目装着具１をワイシャツの襟元から取り外す場合は、片方の手の親指と人差し指でクリップ５の後端側の一対の把持片５１を挟んで、クリップ５の先端側の挟持片５２を左右に開き、開いた挟持片５２をワイシャツの襟元から外側に移動させることで、ネクタイの結び目ａが装着されたＹ字型ネクタイ結び目装着具１をワイシャツの襟元から簡単に取り外すことができる。
【００３０】
なお、この考案は上記考案を実施するための最良の形態に限定されるものではなく、この考案の精神を逸脱しない範囲で種々の改変をなし得ることは勿論である。
【図面の簡単な説明】
【００３１】
【図１】この考案を実施するための最良の形態を示すＹ字型ネクタイ結び目装着具の正面図である。
【図２】この考案を実施するための最良の形態を示すＹ字型ネクタイ結び目装着具の背面図である。
【図３】この考案を実施するための最良の形態を示すＹ字型ネクタイ結び目装着具の側面図である。
【図４】図１のＡ−Ａ矢視断面図である。
【図５】この考案を実施するための最良の形態を示すＹ字型ネクタイ結び目装着具の使用図である。
【符号の説明】
【００３２】
１    Ｙ字型ネクタイ結び目装着具
２    上部傾斜延出片
２１    小孔
３    上部傾斜延出片
３１    小孔
４    下部延出片
４１    後部折曲辺
４２    前部折曲辺
５    クリップ
５１    把持片
５２    挟持片
ａ    ネクタイの結び目
【図１】
0003125452.tif 000003
【図２】
0003125452.tif 000004
【図３】
0003125452.tif 000005
【図４】
0003125452.tif 000006
【図５】
0003125452.tif 000007